(57)【要約】  本発明はマイクロホン部１２およびイヤヘッドホン部１４を有する装置１０に関する。マイクロホン部１２は利用者の口付近に配置されることが意図される一方、イヤヘッドホン部１４は利用者の耳のところに配置されまたは利用者の耳に押し当てて保持されることが意図される。装置１０は、コンピュータ１６を介して会話的な通信を可能とするためにコンピュータ１６に接続することが可能である。コンピュータ１６は、組み込みスピーカを有することも可能であり、または、机または床のスピーカ１８と接続することも可能である。装置１０は切り換え部材２０を有する。第１スイッチ状態において、装置１０は会話的な通信に用いるために接続される。第２スイッチ状態において、机または床のスピーカ１８または組み込みスピーカはアクティブである一方、少なくともイヤヘッドホン部１４はアクティブでない。本発明は上記装置を具備するコンピュータシステムにも関する。
2006525744.tif 000002
【特許請求の範囲】
【請求項１】
マイクロホン部（１２）とイヤヘッドホン部（１４）とを具備する１つの装置として構成されたマイクロホン／イヤヘッドホン装置（１０）であって、前記装置（１０）が意図されたように用いられるとき、前記マイクロホン部（１２）は利用者の口付近に配置される一方、前記イヤヘッドホン部（１４）は利用者の耳のところに配置されまたは利用者の耳に押し当てて保持されるように前記装置（１０）において構成され、前記装置（１０）は、前記装置（１０）を用いてコンピュータ（１６）を介して会話的な通信を可能とするために前記コンピュータ（１６）に接続することが可能であるように構成され、前記コンピュータ（１６）は、少なくとも、机または床のスピーカまたは組み込みスピーカであるスピーカ（１８）に接続することが可能である前記装置（１０）において、
前記装置（１０）は、少なくとも第１および第２切り換え状態を有する切り換え部材（２０）を具備し、
前記装置（１０）が意図されたように前記コンピュータ（１６）に接続され、かつ前記切り換え部材（２０）が前記第１切り換え状態にあるときに、前記机または床のスピーカ（１８）または組み込みスピーカがアクティブでない一方、前記コンピュータ（１６）を介して会話的な通信に用いるために前記マイクロホン部（１２）および前記イヤヘッドホン部（１４）がアクティブであるように前記装置（１０）が接続されるように前記装置（１０）が構成され、前記第２切り換え状態にあるときに、前記机または床のスピーカ（１８）または組み込みスピーカがアクティブである一方、少なくとも前記イヤヘッドホン部（１４）がアクティブでないことを特徴とする装置（１０）。
【請求項２】
一端が前記マイクロホン部（１２）および前記イヤヘッドホン部（１４）に接続され、または、接続されるように構成され、他端が少なくとも前記コンピュータ（１６）に接続されるように構成されたケーブル（２２）を具備する請求項１に記載の装置（１０）。
【請求項３】
前記ケーブル（２２）には、少なくとも第１コンタクト部材（３１）および第２コンタクト部材（３２）が設けられ、
前記第１コンタクト部材（３１）は前記コンピュータ（１６）に接続されるように構成され、
前記第２コンタクト部材（３２）は例えばさらにケーブル（２４）を介して前記机または床のスピーカ（１８）に接続されるように構成された請求項２に記載の装置（１０）。
【請求項４】
前記装置（１０）は、前記装置（１０）が前記コンピュータ（１６）と無線で通信することが可能であるように構成された送信部材（２６）を具備し、
前記送信部材（２６）は、前記切り換え部材（２０）が前記第１切り替え状態にあるとき、または、前記第１切り替え状態に切り換えられたときに、前記送信部材（２６）が前記コンピュータ（１６）に接続された対応する受信部材（２８）に制御信号を送信するように構成され、
前記制御信号は、前記切り換え部材（２０）が前記第１切り替え状態にあるとき、前記机または床のスピーカ（１８）または組み込みスピーカがアクティブでない一方、前記コンピュータ（１６）を介して会話的な通信に用いるために前記装置（１０）が接続されるように前記コンピュータ（１６）が構成されることを確保する請求項１に記載の装置（１０）。
【請求項５】
前記装置（１０）が前記コンピュータ（１６）と意図されたように接続され、かつ前記切り換え部材（２０）が前記第１切り替え状態にあるときに、前記コンピュータ（１６）の可能な組み込みマイクロホンまたは前記コンピュータ（１６）に接続された独立のマイクロホン（３６）がアクティブでない一方、前記マイクロホン部（１２）がアクティブであるように構成され、前記切り換え部材（２０）が前記第２切り替え状態にあるときに、前記コンピュータ（１６）に前記可能な組み込みマイクロホンまたは前記コンピュータ（１６）に接続された前記独立のマイクロホン（３６）がアクティブである一方、前記マイクロホン部（１２）がアクティブでない請求項１から４のいずれかに記載の装置（１０）。
【請求項６】
前記ケーブル（２２）には、さらに第３コンタクト部材（３３）および第４コンタクト部材（３４）が設けられ、
前記第３コンタクト部材（３３）は前記コンピュータ（１６）に接続されるように構成され、
前記第４コンタクト部材（３４）は例えばさらにケーブル（３８）を介して前記独立のマイクロホン（３６）に接続されるように構成された請求項３から５のいずれかに記載の装置（１０）。
【請求項７】
前記第１コンタクト部材（３１）は、前記コンピュータ（１６）のスピーカ入力端子である対応する雌形コンタクト（４１）に差し込まれるように構成された標準タイプの雄形コンタクトであり、
前記第２コンタクト部材（３２）は、前記机または床のスピーカ（１８）からのケーブル（２４）の対応する雄形コンタクト（４２）を受け入れるように構成された標準タイプの雌形コンタクトであり、
前記第３コンタクト部材（３３）は、前記コンピュータ（１６）のマイクロホン入力端子である対応する雌形コンタクト（４３）に差し込まれるように構成された標準タイプの雄形コンタクトであり、
前記第４コンタクト部材（３４）は、前記独立のマイクロホン（３６）からのケーブル（３８）の対応する雄形コンタクト（４４）を受け入れるように構成された標準タイプの雌形コンタクトである請求項３から６のいずれかに記載の装置（１０）。
【請求項８】
前記切り換え部材（２０）は、前記第１および第２切り換え状態の間で利用者によって手動で切り換えられるように構成された請求項１から７のいずれかに記載の装置（１０）。
【請求項９】
前記切り換え部材（２０）は、前記第１および第２切り換え状態の間で自動的に切り換えられるように構成された請求項１から８のいずれかに記載の装置（１０）。
【請求項１０】
請求項１から９のいずれかに記載の装置（１０）と、机または床のスピーカ（１８）またはコンピュータ（１６）に組み込まれたスピーカのうち少なくとも１つのスピーカを有するコンピュータ（１８）と、を具備するコンピュータシステム。
【発明の詳細な説明】
【技術分野】
【０００１】
本発明は、マイクロホン部およびイヤヘッドホン部を有する１つの装置として構成されたマイクロホン／イヤヘッドホン装置に関する。
【背景技術】
【０００２】
前記装置が意図されたように用いられるとき、マイクロホン部は利用者の口付近に配置される一方、イヤヘッドホン部は利用者の耳のところに配置されまたは利用者の耳に押し当てて保持されるように前記装置に配置されている。前記装置は、前記装置を用いてコンピュータを介して会話的な通信を可能とするために、コンピュータに接続可能に構成されている。前記コンピュータは、少なくとも机または床のスピーカと接続することが可能であるか、または、組み込みスピーカを有するようなものである。
【発明の開示】
【発明が解決しようとする課題】
【０００３】
そのような装置は既に知られている。前記装置は、例えば、電話の受話器または利用者の頭に装着されるヘッドセットである。前記装置を用いてコンピュータとの通信を行うことが可能である。前記通信はコンピュータとのみ行うことが可能であり、例えば、マイクロホン部を介してコンピュータに命令が与えられ、コンピュータプログラムを用いて生成された音声がイヤヘッドホン部から聞こえる。しかし、コンピュータを通常の電話の代わりとして用いることがますます一般的となっている。従って、コンピュータを介して他のコンピュータのところにいる人と会話を行うことが可能である。この通信はインターネットを介して最も頻繁に行われている。また、コンピュータ、例えばパーソナルコンピュータには、通常、スピーカが接続され、スピーカは一般に独立して机または床の上に設置されることにも留意すべきである。スピーカは一般にコンピュータのスピーカ入力端子を介して接続される。また、コンピュータは、多くの場合、ケーブルを用いてコンピュータのマイクロホン入力端子に接続される固有のマイクロホンも有する。また、スピーカおよびマイクロホンは、コンピュータの中に、例えば表示画面付近に組み込まれることもある。コンピュータが他人との会話的な通信に用いられるとき、そのような独立のマイクロホンおよびスピーカ（またはコンピュータの組み込みマイクロホンおよびスピーカ）はもちろん使用可能である。しかし、コンピュータの通常のマイクロホンおよびスピーカを介した会話的な通信は多くの場合、あまりうまく行うことができない。従って、利用者は多くの場合、電話の受話器が耳に押し当てて保持され、またはヘッドセットが頭に装着された通常の電話を用いて話すことをより快適であると考える。
【０００４】
さらに、今日ではますます多くの人が開放的に設計されたオフィスあるいは他人のいる部屋でコンピュータを利用している。従って、そのために付近にいる人にも音声が聞こえるので、スピーカを介して会話的な通信を行うことは平静を乱すと考えられる可能性がある。さらに、会話が秘密であるときは、幾人かが聞くことが可能であるスピーカを介して会話を行うことはもちろん著しく不都合となる。
【課題を解決するための手段】
【０００５】
本発明の目的は、上述した問題を回避する装置を提供することである。もう１つの目的は、コンピュータを介して会話的な通信が行われるときに利用者によって効果的と考えられるような装置を提供することである。さらなる目的は、例えばコンピュータの通常の外部スピーカに追加して用いることが可能な装置を提供することである。また、もう１つの目的は、外部スピーカが非アクティブおよびアクティブにされると同時に、それぞれ簡単にアクティブおよび非アクティブにされる装置を提供することである。
【０００６】
これらの目的は、冒頭に記載したような装置によって達成され、かつ前記装置は、少なくとも第１および第２切り換え状態を有する切り換え部材２０を具備することを特徴とする。前記装置が意図されたように前記コンピュータに接続され、かつ前記切り換え部材が前記第１切り換え状態にあるときに、前記机または床のスピーカまたは組み込みスピーカがアクティブでない一方、前記コンピュータを介して会話的な通信に用いるために前記マイクロホン部および前記イヤヘッドホン部がアクティブであるように前記装置が接続されるように前記装置が構成される。前記第２切り換え状態にあるときに、前記机または床のスピーカまたは組み込みスピーカがアクティブである一方、少なくとも前記イヤヘッドホン部（１４）がアクティブでない。
【０００７】
“会話的な通信”の概念は、この状況においては主に、例えばインターネットを介して誰か他人と会話が行われることを意味するが、この概念は“会話”がコンピュータそれ自体との間でのみ行われる場合、例えば、命令が与えられる場合、およびコンピュータによって生成された音声がイヤヘッドホン部において聞こえる場合も含むことに留意すべきである。
【０００８】
また、スピーカまたはマイクロホンが“アクティブ” であるというときは、スピーカによって音声を生成することが可能であり、かつマイクロホンを介して音声を伝達することが可能であるように、このスピーカまたはマイクロホンが接続されることを意味することに留意すべきである。従って、スピーカまたはマイクロホンがアクティブでないというときは、これらの構成要素が音声の再生または入力のためにアクティブな状態で用いることができないことを意味する。
【０００９】
また、イヤヘッドホン部は、片耳用または両耳用とすることが可能であることに留意すべきである。例えば、ステレオ音声が生成されるとき、イヤヘッドホン部は、従来、利用者の耳のところに設けられた２つの音声再生器を具備する。また、マイクロホン部は、モノラルまたはステレオのマイクロホンが可能である。
【００１０】
本発明の好ましい実施形態によれば、前記装置は、一端が前記マイクロホン部および前記イヤヘッドホン部に接続され、または、接続されるように構成され、他端が少なくとも前記コンピュータに接続されるように構成されたケーブルを具備する。そのようなケーブルを用いて、前記装置と前記コンピュータとの間に安全な接続を確立することが可能である。
【００１１】
前記ケーブルには、少なくとも第１コンタクト部材および第２コンタクト部材が設けられ、前記第１コンタクト部材は前記コンピュータに接続されるように構成され、前記第２コンタクト部材は例えばさらにケーブルを介して前記机または床のスピーカに接続されるように構成することが可能である。前記装置は、このようにして簡単に前記コンピュータと前記コンピュータの机または床のスピーカとを接続することが可能である。
【００１２】
他の実施形態によれば、前記装置は、前記装置が前記コンピュータと無線で通信することが可能であるように構成された送信部材を具備し、前記送信部材は、前記切り換え部材が前記第１切り替え状態にあるとき、または、前記第１切り替え状態に切り換えられたときに、前記送信部材が前記コンピュータに接続された対応する受信部材に制御信号を送信するように構成され、前記制御信号は、前記切り換え部材が前記第１切り替え状態にあるとき、前記机または床のスピーカまたは組み込みスピーカがアクティブでない一方、前記コンピュータを介して会話的な通信に用いるために前記装置が接続されるように前記コンピュータが構成されることを確保する。従って、この実施形態によれば、前記装置と前記コンピュータとの間にケーブルは必要でない。代わりに、信号が無線で送信される。
【００１３】
さらに他の実施形態によれば、前記装置は、前記装置が前記コンピュータと意図されたように接続され、かつ前記切り換え部材が前記第１切り替え状態にあるときに、前記コンピュータの可能な組み込みマイクロホンまたは前記コンピュータに接続された独立のマイクロホンがアクティブでない一方、前記マイクロホン部がアクティブであるように構成され、前記切り換え部材が前記第２切り替え状態にあるときに、前記コンピュータの前記可能な組み込みマイクロホンまたは前記コンピュータに接続された前記独立のマイクロホンがアクティブである一方、前記マイクロホン部がアクティブでない。従って、この実施形態は、前記コンピュータが前記コンピュータに接続されたまたは組み込みのもう１つのマイクロホンを有するときに特に効果的である。従って、本発明による前記装置における前記マイクロホン部は、前記切り換え部材が前記第１切り替え状態にあるときに、前記マイクロホンの機能を引き継ぐ。
【００１４】
また、前記ケーブルには、さらに第３コンタクト部材および第４コンタクト部材が設けられ、前記第３コンタクト部材は前記コンピュータに接続されるように構成され、前記第４コンタクト部材は例えばさらにケーブルを介して前記独立のマイクロホンに接続されるように構成されることが可能である。これによって、前記装置は、前記コンピュータと前記独立のマイクロホンとの間を簡単に接続することが可能である。
【００１５】
さらに他の実施形態によれば、前記第１コンタクト部材は、前記コンピュータのスピーカ入力端子である対応する雌形コンタクトに差し込まれるように構成された標準タイプの雄形コンタクトであり、前記第２コンタクト部材は、前記机または床のスピーカからのケーブルの対応する雄形コンタクトを受け入れるように構成された標準タイプの雌形コンタクトであり、前記第３コンタクト部材は、前記コンピュータのマイクロホン入力端子である対応する雌形コンタクトに差し込まれるように構成された標準タイプの雄形コンタクトであり、前記第４コンタクト部材は、前記独立のマイクロホンからのケーブルの対応する雄形コンタクトを受け入れるように構成された標準タイプの雌形コンタクトである。各コンタクトは標準タイプであるので、前記コンピュータまたは前記コンピュータの外部スピーカまたはマイクロホンを改造する必要はない。その代わりに、前記装置からのケーブル全体が、前記コンピュータおよびそのような外部スピーカまたは外部マイクロホンとの間で簡単に接続することが可能である。
【００１６】
前記切り換え部材は、前記第１および第２切り換え状態の間で利用者によって手動で切り換えられるように構成することが可能である。また、前記切り換え部材は、前記第１および第２切り換え状態の間で自動的に切り換えられるように構成することも可能である。手動の切り換えは、例えば、前記装置に設けられた手動スイッチを介して行うことが可能である。前記切り換え部材を自動にすることによって、利用者は前記切り換え部材を手動で切り換える必要がない。その代わりに、切り換えは、例えば、利用者が前記装置を頭のところに保持するかまたは頭に装着するために前記装置を持ち上げるときに、自動的に行われる。
【００１７】
また、本発明の目的は、上記の実施形態のいずれかによる装置と、机または床のスピーカまたはコンピュータに組み込まれたスピーカのうち少なくとも１つのスピーカを有する前記コンピュータとを具備するコンピュータシステムによっても達成される。従って、前記コンピュータ、前記コンピュータのスピーカおよび前記装置は、前記システムの一部を構成する。独立のコンピュータのマイクロホンも前記コンピュータシステムの一部を構成することが可能である。そのようなシステムを用いて上述した効果が達成される。
【発明の効果】
【００１８】
従って、本発明による装置を用いて、前記第１および第２切り換え状態の間の切り換えを簡単に行うことが可能である。例えば、コンピュータで作業する人は、通常、コンピュータの組み込みスピーカまたは外部スピーカを用いる。従って、前記切り換え部材は前記第２切り替え状態にある。その人が例えば他人と会話を行いたいときは、前記切り換え部材は前記第１切り換え状態に切り換えられる。従って、利用者は、会話的な通信のために快適に前記装置を用いることが可能である。会話が終了すると、利用者がアクティブであるコンピュータのスピーカとともにコンピュータを用いた作業を継続することができるように、簡単に前記第２切り換え状態に切り換えを行うことが可能である。
【発明を実施するための最良の形態】
【００１９】
ここで、例として与えられた実施形態の変形例を用いて、かつ添付図面を参照して、本発明を説明する。
【００２０】
図１は、周辺機器を有するコンピュータ１６を表わす図である。コンピュータ１６は、本実施形態によればコンピュータ本体１７および表示画面１９を具備する。また、コンピュータ１６は、周辺機器との無線通信を可能とする送受信装置２８に接続することも可能である。しかし、一般に周辺機器との通信はケーブルを介して行われる。図１の円内にコンピュータ１６の入力端子の例を図示する。これらの入力端子は、多くの場合、コンピュータ本体１７の背面に設けられる。この入力端子は一般に標準形式で構成される。入力端子４１は、例えばコンピュータ１６のスピーカ入力端子である雌形コンタクトとすることが可能である。もう１つの入力端子４３は、例えばコンピュータ１６のマイクロホン入力端子である雌形コンタクトとすることが可能である。コンピュータ１６は一般に異なる周辺機器に接続される。図１には、例えば机または床のスピーカであるスピーカ１８が表わされている。スピーカ１８からケーブル２４が伸びている。ケーブル２４の端部には、コンピュータ１６の対応する雌形コンタクト４１に差し込まれるように構成された標準形式の雄形コンタクトが設けられている。また、図１は、コンピュータ１６に接続することが可能である独立のマイクロホン３６も表わされている。マイクロホン３６からケーブル３８が伸びている。ケーブル３８の端部には、雄形コンタクト４４が設けられている。この雄形コンタクトは、標準形式に適合し、かつコンピュータ１６の対応する雌形コンタクト４３に差し込まれるように構成されている。
また、コンピュータ１６は、上記の代わりに組み込みスピーカおよび／または組み込みマイクロホンを有するとも考えられることに留意すべきである。
【００２１】
図２は、本発明によるマイクロホン／イヤヘッドホン装置１０の実施形態を表わす図である。装置１０は、マイクロホン部１２およびイヤヘッドホン部１４を有する。これらの部分は、装置１０が意図されたように用いられるとき、マイクロホン部１２は利用者の口付近に配置される一方、イヤヘッドホン部１４は利用者の耳のところに配置されまたは利用者の耳に押し当てて保持されるように装置１０に配置されている。従って、装置１０は通常の電話の受話器と同様に設計することが可能である。また、上記の代わりに、装置１０は頭に装着することが可能なヘッドセット（図示しない）として設計することも可能である。装置１０は、コンピュータ１６を介して会話的な通信を可能とするためにコンピュータ１６に接続することが可能である。装置１０は、少なくとも第１および第２切り換え状態を有する切り換え部材２０を有する。装置１０がコンピュータ１６に接続されると、切り換え部材２０が第１切り換え状態にあるとき、装置１０はコンピュータを介して会話的な通信に用いるために接続される。第１切り換え状態において、机または床のスピーカ１８またはコンピュータ１６の組み込みスピーカはアクティブでない一方、マイクロホン部１２およびイヤヘッドホン部１４はアクティブである。しかし、第２切り換え状態において、マイクロホン部１２およびイヤヘッドホン部１４はアクティブでない一方、机または床のスピーカ１８またはコンピュータ１６の組み込みスピーカはアクティブである。切り換え状態は、図４および図５を参照してより詳しく説明される。
【００２２】
前記装置１０は、前記マイクロホン部１２および前記イヤヘッドホン部１４に接続されるワイヤを含むケーブル２２を有する。ケーブル２２の他端には、第１コンタクト部材３１、第２コンタクト部材３２、第３コンタクト部材３３および第４コンタクト部材３４が設けられている。第１コンタクト部材３１は、標準タイプの雄形コンタクトであり、かつコンピュータ１６のスピーカ入力端子である雌形コンタクト４１に差し込まれるように構成されている。第２コンタクト部材３２は、スピーカ１８からのケーブル２４の雄形コンタクト４２を受け入れるように構成された標準タイプの雌形コンタクトである。第３コンタクト部材３３は、コンピュータ１６のマイクロホン入力端子である雌形コンタクト４３に差し込まれるように構成された標準タイプの雄形コンタクトである。第４コンタクト部材３４は、独立のマイクロホン３６からのケーブル３８の雄形コンタクト４４を受け入れるように構成された標準タイプの雌形コンタクトである。このようにして、装置１０は、コンピュータ１６と、スピーカ１８およびマイクロホン３６とに接続することが可能である。
【００２３】
図３は、装置１０の他の実施形態を表わす図である。この場合、装置１０は送信部材２６を有する。送信部材２６は、同様に受信部材を含むことも可能である。送信部材２６は、装置１０がコンピュータ１６と無線で通信が可能であるように構成されている。これは例えばブルートゥース（登録商標）標準による電波通信を介して行うことが可能である。従って、この場合、切り換え部材２０は、送信部材２６が、コンピュータ１６に接続されまたはコンピュータ１６に設けられた受信部材２８に制御信号を送信するように、送信部材２６を制御するように構成されている。従って、制御信号は、切り換え部材２０が第１切り換え状態にあるか、または、第２切り換え状態にあるかを示す情報をコンピュータ１６に提供する。同様に、上述したように、コンピュータ１６は、切り換え部材２０が第１切り換え状態にあるとき、装置１０がコンピュータを介して会話的な通信に用いるために接続されるように構成される。第１切り換え状態において、スピーカ１８はアクティブでない。
【００２４】
独立の前記マイクロホン３６が前記コンピュータ１６に接続されると、前記切り換え部材２０が第１および第２切り換え状態にあるとき、それぞれこのマイクロホン３６に関する場合が対応する。従って、第１切り換え状態において、独立のマイクロホン３６がアクティブでない一方、マイクロホン部１２がアクティブである。第２切り換え状態において、マイクロホン３６がアクティブである一方、マイクロホン部１２がアクティブでない。
【００２５】
前記切り換え部材２０は、利用者が手動で切り換えるように構成することが可能である。切り換え部材２０は、例えば、図２および図３に示すように電話の受話器に配置されたボタンを具備することが可能である。上記の代わりに、切り換え部材２０は、第１および第２切り換え状態の間を自動的に切り換えるように構成することも可能である。例えば、装置１０は、装置１０がテーブルの上に置かれているか否かを検知するセンサを具備することが可能である。そのようなセンサは、例えば光センサを具備することが可能である。装置１０がテーブルの上に置かれている限り、または、他の意図された場所に位置している限り、切り換え部材２０は第２切り換え状態にある。装置１０がテーブルから持ち上げられると、切り換え部材２０は第１切り換え状態に変わる。上記の代わりに、そのようなセンサが、装置１０が利用者の頭に押し当てて保持されているとき、または、利用者の頭に装着されているときに検知することが可能である。
【００２６】
図４は、装置１０が第１切り換え状態にあるときの回路図を表わす。上述したのと異なる部分が図４に示され、かつ同じ符号が用いられている。従って、スピーカ１８からケーブル２４が伸びる。図４において、ケーブルは２つの導線を含むことが表わされている。ケーブル２４は装置１０の第２コンタクト部材３２に接続されたコンタクト４２で終了する。スピーカ１８からの導線は、ケーブル２２を介して切り換え部材２０に接続される。切り換え部材２０はイヤヘッドホン部１４に接続される。また、装置１０は、第１コンタクト部材３１を介してコンピュータ１６のスピーカ入力端子４１にも接続される。対応するように、マイクロホン３６からケーブル３８が伸びる。ケーブル３８は第４コンタクト部材３４に接続されたコンタクト４４で終了する。導線は、マイクロホン部１２に接続される切り換え部材２０に導く。また、ケーブル２２は、第３コンタクト部材３３を介してコンピュータ１６のマイクロホン入力端子４３にも接続される。明確にするため、図４において、マイクロホン部１２のための導線は、イヤヘッドホン部１４のための導線と分離されている。切り換え部材２０が図示されている。図４に示すように、切り換え部材２０は、スピーカ１８およびマイクロホン３６がコンピュータに接続されない一方、マイクロホン部１２およびイヤヘッドホン部１４がコンピュータ１６に接続されるようにセットされている。
【００２７】
図５は、図４と同様な回路図であるが、切り換え部材２０が第２切り換え状態にあるときの回路図を表わす。図５の導線配置から理解されるように、マイクロホン部１２およびイヤヘッドホン部１４がコンピュータ１６に接続されない一方、スピーカ１８およびマイクロホン３６がコンピュータ１６に接続されている。
【００２８】
前記回路図は、切り換え部材２０をどのように設計することができるかの図示例に過ぎないことに留意すべきである。上記に代わる導線配置はこの技術分野の当業者に明らかである。上述したように、スピーカ１８および／またはマイクロホン３６は、ステレオ音声のためにさらに配置することも可能である。この場合、それぞれのケーブルにさらに導線が存在する。
【００２９】
前記装置１０が無線でコンピュータ１６に接続された場合、図４および図５による例に対応するようにスピーカ１８、マイクロホン３６、マイクロホン部１２およびイヤヘッドホン部１４の接続および切断を制御する適切な制御信号が送信される。
【００３０】
また、本発明は、コンピュータシステムに関する。このコンピュータシステムは、コンピュータ１６と少なくとも１つのスピーカ１８とともに装置１０を具備する。このスピーカ１８は、机または床のスピーカ１８またはコンピュータ１６の組み込みスピーカであることが可能である。また、マイクロホン３６は、コンピュータシステムの一部を構成することも可能である。
【００３１】
本発明は上述した実施形態に限定されず、添付の請求項の範囲内で変形および改良が可能である。
【図面の簡単な説明】
【００３２】
【図１】周辺機器を有するコンピュータを表わす図である。
【図２】本発明による装置の実施形態を表わす図である。
【図３】本発明による装置の他の実施形態を表わす図である。
【図４】本発明による装置の一部を構成する切り換え部材が第１切り換え状態にある回路図を表わす。
【図５】本発明による装置の一部を構成する切り換え部材が第２切り換え状態にある回路図を表わす。
【符号の説明】
【００３３】
１０  マイクロホン／イヤヘッドホン装置
１２  マイクロホン部
１４  イヤヘッドホン部
１６  コンピュータ
１７  コンピュータ本体
１８  スピーカ
１９  表示画面
２０  切り換え部材
２２、２４、３８  ケーブル
２６  送信部材
２８  送受信装置
３１  第１コンタクト部材
３２  第２コンタクト部材
３３  第３コンタクト部材
３４  第４コンタクト部材
３６  マイクロホン
３８  ケーブル
４１、４３  雌形コンタクト
４２、４４  雄形コンタクト
【図１】
2006525744.tif 000003
【図２】
2006525744.tif 000004
【図３】
2006525744.tif 000005
【図４】
2006525744.tif 000006
【図５】
2006525744.tif 000007
【国際調査報告】
2006525744.tif 000008
2006525744.tif 000009
2006525744.tif 000010